(57)【要約】【課題】空気調和機のリモコンの電力消費を削減し、乾電池の使用期間を延ばす。【解決手段】電源１より供給される電力により、操作部１０にて空気調和機の温度設定や風量設定を行い、送受信部より空気調和機の室内ユニット１２へ信号を送受信し、表示パネル９に現在の温度設定状況や風量設定状況を表示するリモコンにおいて、使用者が空気調和機を使用しない季節にリモコンで消費される電力を削減するために、電源遮断スイッチ８を切ることで、無駄な電力消費を抑え、電源７に使用している主に乾電池の使用期間を延ばすことができる。【選択図】図１
2009144961.tif 000002
【特許請求の範囲】
【請求項１】
温度設定や風量設定などを行う操作部と、現在の温度設定状況や風量設定状況を表示する表示パネルと、前記操作部にて設定された各種設定状況データを赤外線等を用いて空気調和機本体と送受信する信号送受信部を備えたワイヤレスリモコンにおいて、電源遮断スイッチを設け、ユーザーが任意に電源をオフすることで電源の使用期間を延ばすことを可能としたことを特徴とする空気調和機のリモコン。
【請求項２】
温度設定や風量設定などを行う操作部と、現在の温度設定状況や風量設定状況を表示する表示パネルを備え、前記操作部にて設定された各種設定状況データを電力線を利用して空気調和機本体と送受信するワイヤードリモコンにおいて、電源遮断スイッチを設け、ユーザーが任意に電源をオフすることで空気調和機の待機時の電源消費を低減することを可能としたことを特徴とする空気調和機のリモコン。
【発明の詳細な説明】
【技術分野】
【０００１】
本発明は、春や秋など空気調和機を使用しない季節や待機時に、表示パネルの持続的な表示や前記操作部の誤操作による設定状況データの送受信によりリモコンで消費する無駄な電力を消費しないようにするものであり、省エネ効果とともに、主な電源である乾電池などの使用期間を延ばすことでゴミの排出を抑制するエコ技術に関するものである。
【背景技術】
【０００２】
従来は図３に示すように、使用者が任意にワイヤレスリモコン（以下リモコン）１の電源を遮断することはできず数分〜数十分間リモコンを操作しない場合に限り、表示パネル２の表示を消す等の制御により、電力消費を低減する。また、図４に示すようにワイヤードリモコン４においては、操作の有無にかかわらず表示パネル５の表示は消されないため、常時電力の消費続ける。
【特許文献１】特開平０６−１８１５８８号公報
【発明の開示】
【発明が解決しようとする課題】
【０００３】
しかしながら、前記従来の構成では、リモコンで使用者が消費電力を削減するためには、リモコンの操作をせず表示パネルの表示が消えるのを待つしかないため、その間も無駄に電力が消費されてしまう。また、リモコンの主な電源である乾電池を抜き取り、乾電池を別に保管しておく方法もあるが、乾電池の保管中に乾電池を紛失したり、乾電池を他の機器で使用したりするため、ふたたびリモコンを使用する時に乾電池が無く使用できなくなってしまうという課題がある。また、ワイヤードリモコンにおいては、リモコンだけの電源遮断が不可能なため、空気調和機のシステム全体の電源を遮断する必要があり、高齢者や機器に不慣れな人にとっては、非常にわかり難いものである。
【０００４】
本発明は、前記従来の課題を解決するもので、その目的とするところは使用者が任意にリモコンの消費電力を削減することができ、高齢者や機器操作が不得手な人であっても容易にリモコンでの消費電力削減が行えるため、空気調和機使用者が省エネ意識を高く持ち、ゴミの排出を抑えることを主願とし、空気調和機使用による電力消費をおさえ、ＣＯ2及びゴミの排出を抑制することである。
【課題を解決するための手段】
【０００５】
上記従来の課題を解決する為に、本発明のリモコンは、温度設定や風量設定などを行う操作部と現在の温度設定状況や風量設定状況を表示する表示パネルと、前記操作部にて設定された各種設定状況データを赤外線等を用いて空気調和機などに送信する信号送受信部、または電力線を利用して送信する電力線を備え、前記操作部や表示パネルや信号送受信部に電源を供給する電源部とで構成されるリモコンにおいて、操作部や表示パネル、信号送受信部との間に電源遮断スイッチを設け、使用者が電源遮断スイッチの入り切りを行いリモコンで消費される電力を任意に削減できる構成とするものである。
【発明の効果】
【０００６】
本発明の空気調和気のリモコンは、使用者が空気調和機を使用しない季節にリモコンで消費される電力を削減するために、リモコンに設けた電源遮断スイッチを切ることで、無駄な電力消費を抑え、電源として使用している乾電池の使用期間を延ばすことができる。
【０００７】
また、ワイヤードリモコンにおいても、電源遮断スイッチをオフすることにより表示パネルや操作部で消費される電力を抑えることが可能となるため、空気調和機使用者が省エ
ネ意識を高く持ち、ゴミの排出を抑えることができ、空気調和機使用による電力消費をおさえ、ＣＯ2及びゴミの排出の抑制を図れる。
【発明を実施するための最良の形態】
【０００８】
第１の発明は、温度設定や風量設定などを行う操作部と現在の温度設定状況や風量設定状況を表示する表示パネルと、前記操作部にて設定された各種設定状況データを赤外線等を用いて空気調和機などに送受信する送受信部を備えたリモコンにおいて、使用者が空気調和機を使用しない季節にリモコンで消費される電力を削減するために、リモコンに設けた電源遮断スイッチを切ることで、無駄な電力消費を抑え、電源として使用している乾電池の使用期間を延ばすことができる。これにより表示パネルや操作部にて消費される電力を抑えることが可能となり、空気調和機使用者が省エネ意識を高く持ち、ゴミの排出を抑えることができ、空気調和機使用による電力消費をおさえ、ＣＯ2及びゴミの排出の抑制を図れる。
【０００９】
第２の発明は、温度設定や風量設定などを行う操作部と現在の温度設定状況や風量設定状況を表示する表示パネルと、前記操作部にて設定された各種設定状況データを電力線を利用して送受信する電力線を備えたワイヤードリモコンにおいて、リモコンに設けた電源遮断スイッチを切ることで、ユーザーが任意に電源をオフを行い、空気調和機のシステム全体の待機時の電源消費を低減することが可能となる。そのため高齢者や機器操作が不得手な人であっても容易にリモコンでの消費電力削減が行え、空気調和機使用者が省エネ意識を高く持ち、空気調和機使用による電力消費をおさえ、ＣＯ2の排出を抑制することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機のリモコン内部の等価回路である。図１において７はリモコンの電源で主に乾電池、８は電源遮断スイッチ、９は表示パネル、１０は操作部、１１は信号送受信部、１２は空気調和機の室内ユニットである。以上のように構成された空気調和機のリモコンについて、以下その動作、作用を説明する。
【００１２】
電源１より供給される電力により、操作部１０にて空気調和機の温度設定や風量設定を行い、送受信部より空気調和機の室内ユニット１２へ信号を送受信する。また、表示パネル９に現在の温度設定状況や風量設定状況を表示する。
【００１３】
本発明は、使用者が空気調和機を使用しない季節にリモコンで消費される電力を削減するために、電源遮断スイッチ８を切ることで、無駄な電力消費を抑え、電源７に使用している主に乾電池の使用期間を延ばすことができる。これにより表示パネルや操作部にて消費される電力を抑えることが可能となり、空気調和機使用者が省エネ意識を高く持ち、ゴミの排出を抑えることができ、空気調和機使用による電力消費をおさえ、ＣＯ2及びゴミの排出の抑制を図れる。
【００１４】
（実施の形態２）
図２は、本発明の第１の実施の形態における空気調和機のリモコン構成において、電源供給やデータの送受信を空気調和機の室内ユニット１７より電力線１３も用いて行う、ワイヤードリモコンについての等価回路である。
【００１５】
空気調和機の室内ユニット１７より電力線１３にて電源供給される電力により、操作部１６にて空気調和機の温度設定や風量設定を行い、電力線１３により空気調和機の室内ユ
ニット１８へ信号を送受信する。また、表示パネル１５に現在の温度設定状況や風量設定状況を表示する。
【００１６】
本発明は、使用者が空気調和機を使用しない季節にリモコンで消費される電力を削減するために、電源遮断スイッチ１４を切ることで、無駄な電力消費を抑え、ユーザーが任意に電源をオフすることで空気調和機のシステム全体の待機時の電源消費を低減することで、利用者が省エネ意識を高く持ち、空気調和機使用による電力消費をおさえ、ＣＯ2の排出の抑制を図れる。
【産業上の利用可能性】
【００１７】
以上のように、本発明にかかる空気調和機のリモコンは、使用しない期間に機器での待機電力を削減するものであるため、乾電池や充電電池などの使用寿命を長くしたい機器である、ポータブルゲーム機やノートパソコン、携帯音楽プレイヤーなどにも適用できる。
【図面の簡単な説明】
【００１８】
【図１】本発明の実施の形態１における空気調和機のリモコン内部の等価回路図
【図２】本発明の実施の形態２における空気調和機のワイヤードリモコン内部の等価回路図
【図３】従来技術における空気調和機のリモコンのレイアウト図
【図４】従来技術における空気調和機のワイヤードリモコンのレイアウト図
【符号の説明】
【００１９】
１  空気調和機のリモコン
２  リモコンの表示パネル
３  リモコンの操作部
４  ワイヤードリモコン
５  ワイヤードリモコンの表示パネル
６  ワイヤードリモコンの操作部
７  リモコンの電源
８  リモコンの電源遮断スイッチ
９  リモコンの表示パネル
１０  リモコンの操作部
１１  リモコンの信号送受信部
１２  空気調和機の室内ユニット
１３  ワイヤードリモコンの電力線
１４  ワイヤードリモコンの電源遮断スイッチ
１５  ワイヤードリモコンの表示パネル
１６  ワイヤードリモコンの操作部
１７  空気調和機の室内ユニット
１８  空気調和機の電源
【図１】
2009144961.tif 000003
【図２】
2009144961.tif 000004
【図３】
2009144961.tif 000005
【図４】
2009144961.tif 000006